(57)【要約】【課題】金種と数量を設定する際の操作性を向上させた貨幣処理装置を提供すること。【解決手段】入金された貨幣を両替することができる貨幣処理装置は、貨幣を入金するための貨幣入金部２１，３５と、両替された貨幣を出金するための貨幣出金部２２，２３，３５と、利用者を識別する利用者識別部４５と、貨幣入金部２１，３５に入金された貨幣の合計金額の範囲内で、貨幣出金部２２，２３，３５から出金する両替金種、両替形態および数量を選択可能に表示する表示部６１と、を備えている。貨幣処理装置は、利用者識別部４５からの情報で利用者が個人であると識別された場合には個人用表示を表示部６１に表示し、利用者識別部４５からの情報で利用者が法人であると識別された場合には法人用表示を表示部６１に表示するよう制御する制御部７０も備えている。【選択図】図２
2011175553.tif 000002
【特許請求の範囲】
【請求項１】
入金された貨幣を両替することができる貨幣処理装置において、
貨幣を入金するための貨幣入金部と、
両替された貨幣を出金するための貨幣出金部と、
利用者を識別する利用者識別部と、
前記貨幣入金部に入金された貨幣の合計金額の範囲内で、前記貨幣出金部から出金する両替金種、両替形態および数量を選択可能に表示する表示部と、
前記利用者識別部からの情報で利用者が個人であると識別された場合には個人用表示を前記表示部に表示し、前記利用者識別部からの情報で利用者が法人であると識別された場合には法人用表示を前記表示部に表示するよう制御する制御部と、
を備えたことを特徴とする貨幣処理装置。
【請求項２】
前記個人用表示は、前記法人用表示に含まれている情報の一部を制限して表示したものであることを特徴とする請求項１に記載の貨幣処理装置。
【請求項３】
カードを受け付けるカード受付部、をさらに備え、
前記制御部は、前記カード受付部で受け付けられたカードの種類を識別するとともに、識別されたカードの種類に応じて利用者が個人であるか法人であるかを識別することを特徴とする請求項１または２のいずれかに記載の貨幣処理装置。
【請求項４】
所定の情報が記憶されたカードを受け付けるカード受付部、をさらに備え、
前記制御部は、前記カードに記憶された所定の情報に基づいて両替履歴を読み出すとともに、読み出された両替履歴に基づいて利用者が個人であるか法人であるかを識別することを特徴とする請求項１または２のいずれかに記載の貨幣処理装置。
【請求項５】
入金された貨幣を両替することができる貨幣処理装置において、
貨幣を入金するための貨幣入金部と、
両替された貨幣を出金するための貨幣出金部と、
利用者を識別する利用者識別部と、
前記貨幣入金部に入金された貨幣の合計金額の範囲内で、前記貨幣出金部から出金する両替金種、両替形態および数量を選択可能に表示する表示部と、
前記利用者毎に記憶した、前記貨幣入金部に入金された貨幣の金額と出金された両替金種、両替形態および数量に関する履歴情報、または、該貨幣入金部に入金された日にちと出金された両替金種、両替形態および数量に関する履歴情報に基づいて作成された複数の両替パターンから、前記利用者識別部からの情報で識別された利用者と、前記貨幣入金部に入金された貨幣の金額に関する情報または日にちに関する情報とに基づいて、前記記憶部に記憶された両替パターンのうち適切な両替パターンを選択するとともに、選択された両替パターンを前記表示部に表示するよう制御する制御部と、
を備えたことを特徴とする貨幣処理装置。
【発明の詳細な説明】
【技術分野】
【０００１】
本発明は、入金された貨幣を両替することができる貨幣処理装置に関する。
【背景技術】
【０００２】
従来から特許文献１に示すように、両替時の金種と数量の選択を簡単にするため、予め６種類の両替パターンが設定されており、その中から一つのパターンを選択することで予め設定した金種と数量が表示され、新たに数量を指定しなくても金種と数量の指定ができる両替機が知られている。そして、特許文献１においては、選択した内容で良ければ指定したパターンで両替が行われ、訂正したい場合は訂正スイッチを押下することで数量が訂正できるようになっている。
【０００３】
また、従来から特許文献２に示すように、カードの磁気ストライプに支払金額、金種、枚数が記憶されており、この記憶された情報に基づいて支払を行うことで金額入力や両替指定の手間を省くようにした自動取引装置も知られている。
【先行技術文献】
【特許文献】
【０００４】
【特許文献１】特許２５８６２６５号
【特許文献２】特開２００１-２９１１４０号公報
【発明の概要】
【発明が解決しようとする課題】
【０００５】
しかしながら、特許文献１に示された両替機によれば、所定の両替パターン（６種類）しか備えられておらず、そのパターンに合わない両替を行う場合は全金種の数量を利用者が設定しなくてはならないため、両替の内容によって不都合な場合があった。
【０００６】
また、特許文献２に示されたＡＴＭを両替機に適用することも考えられるが、特許文献１に示された両替機と同様、記憶された情報の内容と異なる内容で両替を行う場合、全金種の数量を利用者が設定しなくてはならないため、操作が面倒であるなどの不都合があった。
【０００７】
このように、従来の貨幣処理装置においては、両替パターンの選択であれば、全金種が同一画面に選択可能に表示されており、全金種の中から両替を希望する金種のみの数量を設定するのであれば両替に関係のない金種まで表示されるので、操作が面倒であるなどの不都合があった。
【０００８】
本発明は、このような点を考慮してなされたものであり、金種と数量を設定する際の操作性を向上させた貨幣処理装置を提供することを目的とする。
【課題を解決するための手段】
【０００９】
本発明による貨幣処理装置は、
入金された貨幣を両替することができる貨幣処理装置であって、
貨幣を入金するための貨幣入金部と、
両替された貨幣を出金するための貨幣出金部と、
利用者を識別する利用者識別部と、
前記貨幣入金部に入金された貨幣の合計金額の範囲内で、前記貨幣出金部から出金する両替金種、両替形態および数量を選択可能に表示する表示部と、
前記利用者識別部からの情報で利用者が個人であると識別された場合には個人用表示を前記表示部に表示し、前記利用者識別部からの情報で利用者が法人であると識別された場合には法人用表示を前記表示部に表示するよう制御する制御部と、
を備えている。
【００１０】
本発明による貨幣処理装置において、
前記個人用表示は、前記法人用表示に含まれている情報の一部を制限して表示したものであってもよい。
【００１１】
本発明による貨幣処理装置は、
カードを受け付けるカード受付部、をさらに備え、
前記制御部が、前記カード受付部で受け付けられたカードの種類を識別するとともに、識別されたカードの種類に応じて利用者が個人であるか法人であるかを識別してもよい。
【００１２】
本発明による貨幣処理装置は、
所定の情報が記憶されたカードを受け付けるカード受付部、をさらに備え、
前記制御部は、前記カードに記憶された所定の情報に基づいて両替履歴を読み出すとともに、読み出された両替履歴に基づいて利用者が個人であるか法人であるかを識別してもよい。
【００１３】
本発明による貨幣処理装置は、
入金された貨幣を両替することができる貨幣処理装置であって、
貨幣を入金するための貨幣入金部と、
両替された貨幣を出金するための貨幣出金部と、
利用者を識別する利用者識別部と、
前記貨幣入金部に入金された貨幣の合計金額の範囲内で、前記貨幣出金部から出金する両替金種、両替形態および数量を選択可能に表示する表示部と、
前記利用者毎に記憶した、前記貨幣入金部に入金された貨幣の金額と出金された両替金種、両替形態および数量に関する履歴情報、または、該貨幣入金部に入金された日にちと出金された両替金種、両替形態および数量に関する履歴情報に基づいて作成された複数の両替パターンから、前記利用者識別部からの情報で識別された利用者と、前記貨幣入金部に入金された貨幣の金額に関する情報または日にちに関する情報とに基づいて、前記記憶部に記憶された両替パターンのうち適切な両替パターンを選択するとともに、選択された両替パターンを前記表示部に表示するよう制御する制御部と、
を備えている。
【発明の効果】
【００１４】
本発明によれば、利用者識別部からの情報で利用者が個人であると識別された場合には個人用表示が表示部に表示され、他方、利用者識別部からの情報で利用者が法人であると識別された場合には法人用表示が表示部に表示される。このため、詳細化されすぎておらず、かつ、利用者の区分に応じた両替のための金種と数量の表示を適切に表示することができる。この結果、利用者は自己に必要な両替パターンによって、金種と数量を容易に選択することができ、操作性を向上させることができる。
【００１５】
また、利用者識別部からの情報で識別された利用者と、貨幣入金部に入金された貨幣の金額に関する情報または日にちに関する情報とに基づいて、履歴情報から適切な両替パターンが選択されて表示部に表示される。このため、利用者は自己に必要な両替パターンを容易に選択することができ、金種と数量を設定する際の操作性を向上させることができる。
【図面の簡単な説明】
【００１６】
【図１】本発明の実施の形態による貨幣両替機を示す斜視図。
【図２】本発明の実施の形態による貨幣両替機の操作パネルの画面の遷移を示した図。
【図３】本発明の実施の形態による貨幣両替機内の信号伝達を説明するための構成図。
【図４】本発明の第１の実施の形態による貨幣両替機での処理を示したフロー図。
【図５】本発明の第２の実施の形態による貨幣両替機での処理を示したフロー図。
【図６】本発明の第３の実施の形態による貨幣両替機での処理を示したフロー図。
【発明を実施するための形態】
【００１７】
第１の実施の形態
以下、本発明に係る入金された貨幣を両替することができる貨幣処理装置の第１の実施の形態について、図面を参照して説明する。ここで、図１乃至図４は本発明の第１の実施の形態を示す図である。なお、本実施の形態では、貨幣処理装置として、以下、貨幣を両替する貨幣両替機１を用いて説明するが、これに限られることはなく、ＡＴＭなどであってもよい。
【００１８】
図１に示すように、貨幣両替機１は、筐体１５と、貨幣を入金するための貨幣入金部２１，３５と、両替された貨幣を出金するための貨幣出金部２２，２３，３５と、カードが挿入されて受け付けられるカード挿入口（カード受付部）４１と、カード挿入口４１から挿入されたカードに関するデータ処理を行うカード処理部４５と、行われた処理に基づいて両替金額や両替金種などをレシートに印字するレシート処理部５５と、レシート処理部５５で印字されたレシートを発行するレシート発行口５１と、筐体１５に設けられて処理状態を表示する状態表示部６２と、を備えている。そして、カード処理部４５が、利用者を識別する利用者識別部を構成している。
【００１９】
このうち、貨幣入金部２１，３５は、硬貨を入金するための硬貨入金口２１と、紙幣入出金口３５と、を有している。他方、貨幣出金部２２，２３，３５は、バラ硬貨を出金するためのバラ硬貨出金口２２と、棒金を出金するための棒金出金口２３と、紙幣を入出金するための紙幣入出金口３５とを有している。なお、本願において、貨幣入金部２１，３５と貨幣出金部２２，２３，３５は別々の部分から構成される必要はなく、同じ部分から構成されてもよい（現に、本実施の形態では、紙幣入出金口３５が紙幣を入出金するために用いられている。）。
【００２０】
ところで、貨幣両替機１は、硬貨を処理するための硬貨処理部２０と、紙幣を処理するための紙幣処理部３０とを備えている。そして、硬貨処理部２０が、上述の硬貨入金口２１と、バラ硬貨出金口２２と、棒金出金口２３とを有している。他方、紙幣処理部３０が上述の紙幣入出金口３５を有している。なお、読み取ることができなかった紙幣や搬送異常を起こした紙幣は、当該紙幣入出金口３５から返却されることとなる。また、筐体１５には、識別することができなかった硬貨や、入金された貨幣に混入していた異物などを返却する返却口２５が設けられている。
【００２１】
また、図３に示すように、貨幣両替機１は、貨幣入金部２１，３５に入金された貨幣の合計金額の範囲内で貨幣出金部２２，２３，３５から出金する両替金種、両替形態および数量を選択可能に表示する操作パネル（表示部）６１と、カード処理部４５からの情報で利用者が個人であると識別された場合には個人用表示を操作パネル６１に表示し、カード処理部４５からの情報で利用者が法人であると識別された場合には法人用表示を操作パネル６１に表示するよう制御する制御部７０と、顧客に関する情報などが記憶された記憶部７５も備えている。
【００２２】
上述した個人用表示は、法人用表示に含まれている情報の一部を制限して表示したものとなっている。より具体的には、図２に示すように、法人用表示では、両替可能な紙幣の金種と枚数、バラ硬貨の金種と枚数および棒金の金種と本数の全てが表示されているが、個人用表示では、個人での利用頻度が低い棒金の金種と本数は表示されず、紙幣の金種と枚数およびバラ硬貨の金種と枚数のみ表示される。なお、個人用表示には、押下（押圧）することで、両替可能な棒金の金種と本数も表示することができる棒金表示ボタンも表示されている。
【００２３】
制御部７０は、カード挿入口４１から挿入されたカードの種類を識別するとともに、識別されたカードの種類に応じて利用者が個人であるか法人であるかを識別するように構成されている。より具体的には、制御部７０は、カード挿入口４１から挿入されたカードが両替カードである場合には利用者を法人であると識別し、他方、カード挿入口４１から挿入されたカードがキャッシュカードである場合には利用者を法人であると識別するように構成されている（図４のＳ１３参照）。
【００２４】
また、貨幣両替機１は、金融機関に来店して操作パネル６１で両替金種と数量を選択する通常両替の他に、携帯電話や自宅パソコンでウェブを介して両替内容を事前に登録しておく事前登録をすることができるようになっている。そして、操作パネル６１には、通常両替を選択するための通常両替ボタンだけでなく、事前登録を選択するための事前登録ボタンも表示されるようになっている。
【００２５】
次に、このような構成からなる本実施の形態の作用および効果について説明する。
【００２６】
（通常両替）
最初に、通常両替をする場合の態様について説明する。
【００２７】
まず、利用者によって操作パネル６１に触れられ、操作パネル６１に事前登録ボタンと通常両替ボタンが表示される（図２参照）。そして、利用者によって、操作パネル６１に表示された通常両替ボタンが押下（押圧）される（図４のＳ１１参照）。
【００２８】
次に、利用者によって、カード挿入口４１からカードが挿入される（図４のＳ１２参照）。このとき、利用者によって硬貨入金口２１や紙幣入出金口３５に硬貨や紙幣などの貨幣が投入される（図４のＳ１２参照）。
【００２９】
次に、カード処理部４５からの情報に基づいて、制御部７０によって、カード挿入口４１から挿入されたカードが両替カードであるかキャッシュカードであるかが識別される（図４のＳ１３参照）。そして、制御部７０によって、カード挿入口４１から挿入されたカードが両替カードであると識別された場合には、即座に、操作パネル６１に法人用表示が表示される（図４のＳ１４ａ参照）。より具体的には、操作パネル６１に、両替可能な紙幣の金種と枚数、バラ硬貨の金種と枚数および棒金の金種と本数が表示される（図２の「法人用表示」参照）。
【００３０】
次に、利用者によって、両替パターンが選択されて、両替された貨幣が出金される（図３のＳ１５ａ参照）。このとき、バラ硬貨はバラ硬貨出金口２２から出金され、棒金は棒金出金口２３から出金され、紙幣は紙幣入出金口３５から出金される。その後、カード挿入口４１に挿入されていたカードが利用者のもとに返却される（図３のＳ１５ａ参照）。
【００３１】
他方、制御部７０によって、カード挿入口４１から挿入されたカードがキャッシュカードであると識別された場合には、即座に、操作パネル６１に個人用表示が表示される（図４のＳ１４ｂ参照）。より具体的には、操作パネル６１に、両替可能な紙幣の金種と枚数およびバラ硬貨の金種と枚数が表示される（図２の「個人用表示」参照）。
【００３２】
次に、利用者によって、両替パターンが選択されて、両替された貨幣が出金される（図３のＳ１５ｂ参照）。このとき、バラ硬貨はバラ硬貨出金口２２から出金され、紙幣は紙幣入出金口３５から出金される。その後、カード挿入口４１に挿入されていたカードが利用者のもとに返却される（図３のＳ１５ｂ参照）。
【００３３】
このように本実施の形態によれば、カード挿入口４１からカードが挿入されるだけで、自動的に、法人用表示および個人用表示のうち適切な表示が選択されて表示される。このため、利用者に応じた内容からなる選択画面を直接表示することができ、利用者は自己に必要な両替パターンによって金種と数量を容易に選択することができる。このため、金種と数量を設定する際の操作性を向上させることができる。
【００３４】
すなわち、特許文献１や特許文献２に示された装置によれば、両替内容によっては全金種の数量を利用者が設定しなくてはならず、操作が面倒であるなどの不都合があった。これに対して、本実施の形態によれば、自動的に利用者の区分に応じた両替のための金種と数量の表示が選択されて表示される。このため、利用者は自己に必要な両替パターンによって金種と数量を容易に選択することができ、その結果、操作性を向上させることができる。
【００３５】
なお、本実施の形態によれば、カード挿入口４１から挿入されたカードがカード処理部４５からの情報でキャッシュカードであると識別された場合であっても、利用者は、棒金表示ボタンを押下（押圧）することで、両替可能な棒金の金種と枚数も表示することができる（図２参照）。このため、キャッシュカードを利用した利用者であっても、適宜、棒金へと両替することができる。
【００３６】
（事前登録）
次に、事前登録をする場合の態様について説明する。
【００３７】
まず、利用者が、携帯電話やパソコンなどの端末から所定のサイトに入って、予め、入金される予定の貨幣の金額に関する情報と、両替される予定の両替金種、両替形態および数量に関する情報を入力する。
【００３８】
次に、利用者が貨幣両替機１の設置された店舗などに向かう。その後、当該利用者によって店舗内の貨幣両替機１の操作パネル６１に触れられ、操作パネル６１に事前登録ボタンと通常両替ボタンが表示される。そして、利用者によって、操作パネル６１に表示された事前登録ボタンが押下（押圧）される。
【００３９】
次に、利用者によって、予約番号が入力されるか、カード挿入口４１からカードが挿入される。このとき、利用者によって硬貨入金口２１や紙幣入出金口３５に硬貨や紙幣などの貨幣が投入される。
【００４０】
次に、予め入力された両替される予定の両替金種、両替形態および数量が操作パネル６１に表示される。表示された内容でよければ、利用者によって、操作パネル６１に表示された確認ボタンが押下（押圧）されて当該両替金種、両替形態および数量からなる貨幣が出金される。他方、（予約時の入力ミスなどの手違いで）表示された内容を変更したい場合には、利用者が操作パネル６１を操作することによって、両替金種、両替形態、数量などが変更され、その後、確認ボタンが押下（押圧）されて希望の両替金種、両替形態および数量からなる貨幣が出金される。
【００４１】
このように、本実施の形態によれば、（時間のあるときなどに）事前に予約することで、店舗において利用者が考えることなく、当該利用者の希望する両替金種、両替形態および数量を即座に操作パネル６１に表示することができる。このため、利用者は自己に必要な両替パターンをすぐに選択することができ、金種と数量を設定する際の操作性を向上させることができる。
【００４２】
ところで、通常両替の場合と事前登録の場合の両方の場合において、入金される貨幣を利用者の銀行口座から引き落とすようにすることも考えられる。このような態様によれば、利用者の現金を持参する手間を省くことができる。
【００４３】
第２の実施の形態
次に、図５により、本発明の第２の実施の形態について説明する。第１の実施の形態は、カードの種類に応じて利用者が個人であるか法人であるかを識別する態様であったが、第２の実施の形態は、カードに記憶された両替履歴に基づいて利用者が個人であるか法人であるかを識別するものである。その他の構成は図１乃至図４に示す第１の実施の形態と略同一である。なお、本実施の形態では、利用者識別部としては、カード処理部４５に限られることはなく、例えば、人の指の静脈を認証する静脈認証部などを用いることもできる。
【００４４】
図５に示す第２の実施の形態において、図１乃至図４に示す第１の実施の形態と同一部分には同一符号を付して詳細な説明は省略する。
【００４５】
以下、本実施の形態の作用および効果について説明する。なお、第１の実施の形態と重複する部分もあるので、重複する部分は省略しつつ説明する。また、事前登録をする場合は第１の実施の形態と同様となるので、通常両替をする場合についてのみ説明する。
【００４６】
まず、利用者によって操作パネル６１に触れられ、操作パネル６１に事前登録ボタンと通常両替ボタンが表示される（図２参照）。そして、利用者によって、操作パネル６１に表示された通常両替ボタンが押下（押圧）される（図５のＳ２１参照）。
【００４７】
次に、利用者によって、カード挿入口４１からカードが挿入される（図５のＳ２２参照）。このとき、利用者によって硬貨入金口２１や紙幣入出金口３５に硬貨や紙幣などの貨幣が投入される（図５のＳ２２参照）。
【００４８】
次に、制御部７０によって、カードに記憶された所定の情報に基づいて利用者の両替履歴が読み出され、読み出された両替履歴に基づいて利用者が個人であるか法人であるかが識別される（図５のＳ２３参照）。なお、本願でいう「所定の情報」とは、例えば、カード自体に記憶された履歴情報であってもよいし、カードに記憶された顧客特定情報でもあってもよい。そして、所定の情報として顧客特定情報を用いる場合には、当該顧客特定情報にひも付けされて記憶部７５に記憶された履歴情報を用いることとなる。（この場合には、記憶部７５に、顧客に関する情報として、各顧客特定情報に対応した履歴情報が記憶されていることになる。）
【００４９】
そして、例えば、最近の履歴情報（例えば、直近５回の履歴情報）の中に棒金を出金した履歴、キャッシュカードを連続して使用した履歴、または、キャッシュカードで所定金額以上の出金をした履歴がある場合には、制御部７０によって利用者が法人であるとみなされて、操作パネル６１に法人用表示が表示される（図５のＳ２４ａ参照）。
【００５０】
そして次に、利用者によって、両替パターンが選択されて、両替された貨幣が出金されるとともに、カード挿入口４１に挿入されていたカードが利用者のもとに返却される（図５のＳ２５ａ参照）。
【００５１】
他方、例えば、最近の履歴情報（例えば、直近５回の履歴情報）の中に棒金を出金した履歴、キャッシュカードを連続して使用した履歴、および、キャッシュカードで所定金額以上の出金をした履歴のいずれもない場合には、制御部７０によって利用者が個人であるとみなされて、操作パネル６１に個人用表示が表示される（図５のＳ２４ｂ参照）。
【００５２】
そして次に、利用者によって、両替パターンが選択されて、両替された貨幣が出金されるとともに、カード挿入口４１に挿入されていたカードが利用者のもとに返却される（図５のＳ２５ｂ参照）。
【００５３】
このように本実施の形態によっても、自動的に、法人用表示および個人用表示のうち適切な表示が選択されて表示される。このため、自動的に利用者の区分に応じた両替のための金種と数量の表示が選択されて操作パネル６１に表示される。この結果、利用者は自己に必要な両替パターンによって金種と数量を容易に選択することができ、操作性を向上させることができる。
【００５４】
また、本実施の形態によれば、履歴情報に基づいて法人か個人かが識別されるため、より正確に、法人および個人の区分が選択されることとなる。この結果、金種と数量を設定する際の操作性をより確実に向上させることができる。
【００５５】
ところで、第１の実施の形態と第２の実施の形態とを組み合わせることもできる。
【００５６】
この場合には、カードとして両替カードが用いられた場合には法人用表示が操作パネル６１に表示され、カードとしてキャッシュカードが用いられた場合であっても、最近の履歴情報の中に棒金を出金した履歴、キャッシュカードを連続して使用した履歴、または、キャッシュカードで所定金額以上の出金をした履歴がある場合には、法人用表示が操作パネル６１に表示されることとなる。
【００５７】
他方、カードとしてキャッシュカードが用いられた場合であって、最近の履歴情報の中に棒金を出金した履歴、キャッシュカードを連続して使用した履歴、および、キャッシュカードで所定金額以上の出金をした履歴のいずれもない場合には、個人用表示が操作パネル６１に表示されることとなる。
【００５８】
このような態様によれば、さらに正確に、法人および個人の区分が選択されることとなり、金種と数量を設定する際の操作性をさらに確実に向上させることができる。
【００５９】
第３の実施の形態
次に、図６により、本発明の第３の実施の形態について説明する。第１および第２の実施の形態は、利用者が個人であるか法人であるかを識別することで操作パネル６１の表示内容を変える態様であったが、第３の実施の形態は、カード処理部４５からの情報で識別された利用者と、貨幣入金部２１，３５に入金された貨幣の金額に関する情報、または、貨幣入金部２１，３５に入金された日にちに関する情報とに基づいて、操作パネル６１の表示内容を変えるものである。
【００６０】
また、記憶部７５には、顧客に関する情報として、顧客（利用者）毎に、貨幣入金部２１，３５に入金された貨幣の金額と出金された両替金種、両替形態および数量に関する履歴情報、または、貨幣入金部２１，３５に入金された日にちと出金された両替金種、両替形態および数量に関する履歴情報、に基づいて作成された複数の両替パターンが記憶されている。その他の構成は図１乃至図４に示す第１の実施の形態と略同一である。
【００６１】
図６に示す第３の実施の形態において、図１乃至図４に示す第１の実施の形態と同一部分には同一符号を付して詳細な説明は省略する。
【００６２】
以下、本実施の形態の作用および効果について説明する。なお、第１および第２の実施の形態と重複する部分もあるので、重複する部分は省略しつつ説明する。また、事前登録をする場合は第１の実施の形態と同様となるので、通常両替をする場合についてのみ説明する。
【００６３】
まず、利用者によって操作パネル６１に触れられ、操作パネル６１に事前登録ボタンと通常両替ボタンが表示される（図２参照）。そして、利用者によって、操作パネル６１に表示された通常両替ボタンが押下（押圧）される（図６のＳ３１参照）。
【００６４】
次に、利用者によって、カード挿入口４１からカードが挿入される（図６のＳ３２参照）。このとき、利用者によって硬貨入金口２１や紙幣入出金口３５に硬貨や紙幣などの貨幣が投入される（図６のＳ３２参照）。
【００６５】
次に、制御部７０によって、カード処理部４５からの情報で識別された利用者と、貨幣入金部２１，３５に入金された貨幣の金額に関する情報、または、貨幣入金部２１，３５に入金された日にちに関する情報とに基づいて、記憶部７５に記憶された両替パターンのうち適切な両替パターンが選択される（図６のＳ３３参照）。その後、制御部７０によって、選択された両替パターン（選択された履歴情報の両替金種、両替形態および数量）が操作パネル６１に表示される（図６のＳ３４参照）。
【００６６】
「入金された貨幣の金額」を基準に操作パネル６１の表示が選択される場合について説明すると、まず、制御部７０によって、カード処理部４５からの情報で識別された利用者に基づいて、記憶部７５に記憶された顧客（利用者）が検索されて選択される（図６のＳ３３参照）。
【００６７】
次に、当該利用者について、今回実際に入金された貨幣の金額に関する情報に最も近い、過去の入金された貨幣の金額に関する履歴情報が検索され選択される（図６のＳ３３参照）。
【００６８】
その後、選択された履歴情報の両替金種、両替形態および数量が、そのまま、操作パネル６１に表示される（図６のＳ３４参照）。
【００６９】
他方、「入金された日にち」を基準に操作パネル６１の表示が選択される場合について説明すると、まず、制御部７０によって、カード処理部４５からの情報で識別された利用者に基づいて、記憶部７５に記憶された顧客（利用者）が検索されて選択される（図６のＳ３３参照）。
【００７０】
次に、当該利用者について、今回実際に入金された日にちに関する情報（例えば、「曜日」、「休日」、「祭りである」という情報）に合致する、過去の入金された日にちに関する履歴情報が検索され選択される（合致する履歴情報がない場合には例えば直近の履歴情報が選択される。）（図６のＳ３３参照）。
【００７１】
その後、選択された履歴情報の両替金種、両替形態および数量が、そのまま、操作パネル６１に表示される（図６のＳ３４参照）。
【００７２】
上述のようにして、履歴情報の両替金種、両替形態および数量が操作パネル６１に表示されると、次に、利用者によって、両替パターンが選択される（図６のＳ３５参照）。そして、両替された貨幣が出金されるとともに、カード挿入口４１に挿入されていたカードが利用者のもとに返却される（図６のＳ３５参照）。なお、このとき出金された両替金種、両替形態および数量が、新たな履歴情報として、入金された貨幣の金額や入金された日にちとひも付けされて記憶部７５に記憶される。
【００７３】
このように本実施の形態によれば、過去の入金された貨幣の金額や、入金された日にちに関する履歴情報に基づいて、自動的に、適切な表示が選択されて表示される。このため、利用者は自己に必要な両替パターンによって金種と数量を容易に選択することができ、操作性を向上させることができる。
【００７４】
すなわち、一般に、入金された貨幣の金額に応じて必要な両替金種、両替形態および数量は利用者毎に固定されている。このため、このように固定された情報が操作パネル６１に即座に表示されるので、利用者による金種と数量を設定する際の操作性を向上させることができる。
【００７５】
また、一般に、曜日や休日などの日にちに応じて必要な両替金種、両替形態および数量も利用者毎に固定されている。このため、このように固定された情報が操作パネル６１に即座に表示されるので、利用者による金種と数量を設定する際の操作性を向上させることができる。
【００７６】
なお、入金された貨幣の金額に関する情報と日にちに関する情報の両方に基づいて、履歴情報を検索して、最も合致する履歴情報を操作パネル６１に表示するようにしてもよい。この場合には、まず、入金された貨幣の金額に関する情報と日にちに関する情報のうち優先される情報（例えば、入金された貨幣の金額に関する情報）に基づいて数個（例えば、１０個）の履歴情報が検索されて選択される。次に、入金された貨幣の金額に関する情報と日にちに関する情報のうち劣後する情報（例えば、日にちに関する情報）に基づいて、選択された数個の履歴情報が検索されて、最も適切な履歴情報が１つ選択される。
【００７７】
このような態様によれば、より精度良く、利用者にとって必要な両替金種、両替形態および数量を操作パネルに表示することができるので、利用者による金種と数量を設定する際の操作性をさらに向上させることができる。
【００７８】
ところで、上述した各実施の形態では、記憶部７５が貨幣両替機１に設けられている態様を用いて説明した。しかしながら、これに限られることはなく、例えば、記憶部がホストコンピュータに設けられてもよいし、挿入されるカードの磁気やＩＣチップが記憶部を構成してもよい。
【符号の説明】
【００７９】
１５        筐体
２１        硬貨入金口
２２        バラ硬貨出金口
２３        棒金出金口
３５        紙幣返却口
４１        カード挿入口（カード受付部）
４５        カード処理部（利用者識別部）
５１        レシート発行口
５５        レシート処理部
６１        操作パネル
７０        制御部
７５        記憶部
【図１】
2011175553.tif 000003
【図２】
2011175553.tif 000004
【図３】
2011175553.tif 000005
【図４】
2011175553.tif 000006
【図５】
2011175553.tif 000007
【図６】
2011175553.tif 000008